(57)【要約】【課題】初期充放電時に行う蓄電装置の拘束作業を容易とする拘束治具を提供すること。【解決手段】拘束治具３０の収容部材３１は第１支持面４２ａ及び第２支持面４５ａを備えるとともに、第１ガイド面４４ａ及び第２ガイド面４６ａを備える。第１支持面４２ａに第１の二次電池１０Ａを支持させ、第２支持面４５ａに第２の二次電池１０Ｂを支持させた状態では、第１の二次電池１０Ａと第２の二次電池１０Ｂの上端面１４ｂが揃う。拘束治具３０は、複数の二次電池１０の間に配置されるスペーサ５０と、二次電池１０に対し厚み方向への荷重を付与する押圧板３８と、を備える。スペーサ５０及び押圧板３８は、二次電池１０の第１押圧部３９，５１と第２押圧部４０，５２とを第１支持面４２ａと第２支持面４５ａに応じて備える。【選択図】図１
2018185949.tif 000002
【特許請求の範囲】
【請求項１】
電極組立体と、前記電極組立体を収容した直方体状のケースと、前記ケースの上端面から突出した電極端子と、を備える蓄電装置の初期充放電を行う際に、複数の前記蓄電装置を厚み方向に並べて収容部材に収容した状態で拘束する拘束治具であって、
前記ケースの底面に沿い、かつ前記厚み方向に直交する幅方向への前記蓄電装置の寸法を幅とすると、前記蓄電装置は、前記幅及び高さの異なる蓄電装置が用いられ、
前記収容部材は、並設された複数の前記蓄電装置を下方から支持する支持面を、前記蓄電装置の高さに応じて複数備えるとともに、
各支持面から立設されたガイド面を、前記蓄電装置の幅に応じて複数備え、
各支持面に前記蓄電装置を支持させ、かつ各ガイド面に蓄電装置の側面を沿わせた状態では高さの異なる前記蓄電装置同士で上端面が揃い、
並設された複数の前記蓄電装置の間に配置されるスペーサと、
前記蓄電装置に対し前記厚み方向への荷重を付与する押圧板と、を備え、
前記スペーサ及び前記押圧板は、各支持面と、該支持面に連続した前記ガイド面に挟まれた空間に配設される押圧部を前記支持面の数に応じて複数備えることを特徴とする拘束治具。
【請求項２】
前記ケースは、前記電極組立体を収容するケース本体と、該ケース本体の開口部を閉塞する蓋体との接合部を有し、
前記スペーサ及び前記押圧板が前記支持面に支持された状態では、該スペーサ及び前記押圧板の上端面は、高さ方向における前記電極組立体の上端面より上で、かつ前記ケースの前記接合部より下に位置する請求項１に記載の拘束治具。
【発明の詳細な説明】
【技術分野】
【０００１】
本発明は、複数の蓄電装置それぞれを収容部材内において厚み方向から拘束する拘束治具に関する。
【背景技術】
【０００２】
二次電池やキャパシタなどの蓄電装置の製造方法の一例として、ケース内に電極組立体を収納した後、ケースに設けられた注液口から電解液をケース内に注入し、注液口を封止部材によって仮封止する。次に、蓄電装置の活性化、安定化等を図るため、初期充放電を行う。初期充放電では、蓄電装置の上端面から突出した正負の電極端子にプローブを接続し、１回の充電又は複数回の充放電を行う。また、必要に応じ、続けて恒温状態で所定期間の保管を行うエージングといった処理を行う。
【０００３】
ここで、初期充放電を行うときに、ケース内でガスが発生する場合がある。このガスに起因する内圧上昇や各電極の膨張によるケースの変形を抑制する必要があるため、例えば、電解液を蓄電装置のケース内に注入した後、そのケースを拘束治具によって拘束している（例えば特許文献１参照）。特許文献１に開示の拘束治具は、１つの拘束治具で複数の蓄電装置をまとめて拘束可能である。
【先行技術文献】
【特許文献】
【０００４】
【特許文献１】特開２０１５−２１９９７１号公報
【発明の概要】
【発明が解決しようとする課題】
【０００５】
ところで、蓄電装置には仕様等に応じて複数のサイズが設定され、サイズ毎に蓄電装置の高さ及び幅が異なる。１つの設備で高さの異なる蓄電装置に初期充放電を行うには、プローブを電極端子に接続する際にプローブの高さを調節する、又は電極端子の高さをプローブに合わせるために拘束治具を取り換える必要があり、非常に煩雑である。
【０００６】
本発明の目的は、初期充放電時に行う蓄電装置の拘束作業を容易とする拘束治具を提供することにある。
【課題を解決するための手段】
【０００７】
上記問題点を解決するための拘束治具は、電極組立体と、前記電極組立体を収容した直方体状のケースと、前記ケースの上端面から突出した電極端子と、を備える蓄電装置の初期充放電を行う際に、複数の前記蓄電装置を厚み方向に並べて収容部材に収容した状態で拘束する拘束治具であって、前記ケースの底面に沿い、かつ前記厚み方向に直交する幅方向への前記蓄電装置の寸法を幅とすると、前記蓄電装置は、前記幅及び高さの異なる蓄電装置が用いられ、前記収容部材は、並設された複数の前記蓄電装置を下方から支持する支持面を、前記蓄電装置の高さに応じて複数備えるとともに、各支持面から立設されたガイド面を、前記蓄電装置の幅に応じて複数備え、各支持面に前記蓄電装置を支持させ、かつ各ガイド面に蓄電装置の側面を沿わせた状態では高さの異なる前記蓄電装置同士で上端面が揃い、並設された複数の前記蓄電装置の間に配置されるスペーサと、前記蓄電装置に対し前記厚み方向への荷重を付与する押圧板と、を備え、前記スペーサ及び前記押圧板は、各支持面と、該支持面に連続した前記ガイド面に挟まれた空間に配設される押圧部を前記支持面の数に応じて複数備えることを要旨とする。
【０００８】
これによれば、高さの異なる位置にある支持面に、高さの異なる蓄電装置のケースを下方から支持させ、かつガイド面にケースの側面を沿わせると、高さの異なる蓄電装置同士で上端面の位置が揃う状態で、幅方向への移動を規制した状態に位置決めできる。また、高さの異なる蓄電装置が各支持面に支持された状態であっても、スペーサ及び押圧板の各押圧部により、蓄電装置に荷重を付与して拘束でき、局所的な荷重が電極組立体に付与されることを抑制できる。このため、初期充放電のためのプローブの高さを電極端子の高さに合わせたり、蓄電装置の高さに合わせて拘束治具を取り換える必要がなく、高さの異なる蓄電装置が混流するラインであっても、初期充放電時に行う蓄電装置の拘束作業を容易とする。
【０００９】
また、拘束治具について、前記ケースは、前記電極組立体を収容するケース本体と、該ケース本体の開口部を閉塞する蓋体との接合部を有し、前記スペーサ及び前記押圧板が前記支持面に支持された状態では、該スペーサ及び前記押圧板の上端面は、高さ方向における前記電極組立体の上端面より上で、かつ前記ケースの前記接合部より下に位置する。
【００１０】
これによれば、スペーサを介して押圧板から蓄電装置に厚み方向への荷重が付与された際、厚み方向の端に位置する電極組立体の端面の全面に荷重を付与でき、電極組立体の端面に対し局所的に荷重が付与されることを抑制できるとともに、接合部に荷重が付与されることを防止できる。
【発明の効果】
【００１１】
本発明によれば、初期充放電時に行う蓄電装置の拘束作業を容易とする。
【図面の簡単な説明】
【００１２】
【図１】収容部材、スペーサ、与荷重部材、第１の二次電池、及び第２の二次電池を示す分解斜視図。
【図２】第１の二次電池を拘束治具で拘束した状態を示す斜視図。
【図３】スペーサと第１の二次電池を示す断面図。
【図４】第２の二次電池を拘束治具で拘束した状態を示す斜視図。
【図５】スペーサと第２の二次電池を示す断面図。
【図６】初充電の状態を示す断面図。
【図７】第１の二次電池と第２の二次電池が混在した状態での拘束を示す斜視図。
【発明を実施するための形態】
【００１３】
以下、拘束治具を具体化した一実施形態を図１〜図６にしたがって説明する。
図１に示すように、蓄電装置としての二次電池１０は、金属製（例えば、アルミニウム製やステンレス製）及び直方体状のケース１１を備える。図３に示すように、ケース１１内には、電極組立体１２と、図示しない電解液が収容されている。
【００１４】
図１に示すように、ケース１１は、有底四角筒状のケース本体１３と、ケース本体１３の開口部を閉塞する矩形平板状の蓋体１４とを備え、ケース本体１３と蓋体１４とは溶接によって接合されている。ケース１１は、蓋体１４とケース本体１３の接合部１８を備える。
【００１５】
ケース本体１３は、矩形板状の底壁１３ａと、底壁１３ａにおいて対向する一対の長側縁から立設された長側壁１３ｂと、底壁１３ａにおいて対向する一対の短側縁から立設された短側壁１３ｃとを有する。二次電池１０において、ケース１１の底壁１３ａの外面（底面）に沿う短手方向への寸法を厚みＤとし、底壁１３ａの外面に沿い、かつ厚み方向に直交した方向（長手方向）を幅方向とする。そして、二次電池１０における幅方向への寸法を幅Ｗとする。
【００１６】
二次電池１０には、サイズの異なる２種類があり、一方を第１の二次電池１０Ａと記載し、他方を第２の二次電池１０Ｂと記載する。第１の二次電池１０Ａの方が第２の二次電池１０Ｂより幅Ｗが短く、第１の二次電池１０Ａと第２の二次電池１０Ｂで厚みＤが同じである。また、第１の二次電池１０Ａの方が第２の二次電池１０Ｂより高さＨが高い。よって、第１の二次電池１０Ａと第２の二次電池１０Ｂは高さＨが異なる。
【００１７】
二次電池１０は、ケース１１（ケース本体１３）内に電解液を注入するための注液口１４ａを蓋体１４に有する。注液口１４ａは、封止部材１５によって閉塞されている。二次電池１０は角型電池であり、リチウムイオン二次電池である。電極組立体１２には、正極端子１６及び負極端子１７が電気的に接続されている。正極端子１６及び負極端子１７の各一部分は、蓋体１４の上端面１４ｂからケース１１外に露出している。蓋体１４の上端面１４ｂは、二次電池１０の上端面である。
【００１８】
次に、二次電池１０を拘束する際に用いる拘束治具３０について説明する。拘束治具３０は、複数の二次電池１０をまとめて拘束する拘束治具である。
図２又は図３に示すように、拘束治具３０は四角箱状の収容部材３１を備え収容部材３１は、金属製（例えば、アルミニウムやアルミニウム合金製）である。収容部材３１は、矩形状の底板３２と、底板３２の周縁から立設する四角枠状の周壁３３と、周壁３３内に配設された位置決め部材４１と、を備える。収容部材３１には、二次電池１０の厚み方向が、収容部材３１の長手方向に一致するように複数の二次電池１０が並べて収容される。収容部材３１において、二次電池１０の並ぶ方向を並設方向Ｘとし、底板３２の上面に沿い、かつ並設方向Ｘに直交する方向を幅方向Ｙとする。
【００１９】
図１に示すように、位置決め部材４１は、矩形板状の第１支持板４２を備え、第１支持板４２は収容部材３１の底板３２の上面に固定されている。第１支持板４２は上面に平坦面状の第１支持面４２ａを備える。第１支持面４２ａの長手は、収容部材３１の並設方向Ｘに延び、第１支持面４２ａに沿い、かつ並設方向Ｘに直交する短手は、収容部材３１の幅方向Ｙに延びる。第１支持板４２は、底板３２における幅方向Ｙ中央に固定されている。
【００２０】
図１又は図３に示すように、第１支持面４２ａの幅方向Ｙへの寸法Ｎ１は、第１の二次電池１０Ａの幅Ｗより僅かに長い。位置決め部材４１は、第１支持面４２ａの幅方向Ｙ両端から立設された第１ガイド壁４４を備える。各第１ガイド壁４４は、幅方向Ｙに対向する第１ガイド壁４４の内面に第１ガイド面４４ａを備える。幅方向Ｙへの第１ガイド面４４ａ間の寸法は、第１支持面４２ａの幅方向Ｙへの寸法Ｎ１と同じであり、第１の二次電池１０Ａにおける幅Ｗより僅かに長く、並設方向Ｘに一定である。各第１ガイド面４４ａは、長手が並設方向Ｘに延び、短手が高さ方向に延びる。
【００２１】
位置決め部材４１は、各第１ガイド壁４４の上端から幅方向Ｙ外側に突設された第２支持板４５を備える。位置決め部材４１は一対の第２支持板４５の上面によって構成された第２支持面４５ａを備える。第２支持面４５ａは、一対の第２支持板４５の間に凹みを備えるが、その凹みを挟んだ両側に位置する。第２支持面４５ａの幅方向Ｙへの寸法Ｎ２は、第２の二次電池１０Ｂの幅Ｗより僅かに長い。両方の第２支持板４５の上面は同一平面上に位置する。
【００２２】
位置決め部材４１は、第２支持面４５ａの幅方向Ｙ両端から立設された第２ガイド壁４６を備える。各第２ガイド壁４６は、幅方向Ｙに対向する第２ガイド壁４６の内面に第２ガイド面４６ａを備える。幅方向Ｙへの第２ガイド面４６ａ間の寸法は、第２支持面４５ａの幅方向Ｙへの寸法Ｎ２と同じであり、第２の二次電池１０Ｂの幅Ｗより僅かに長く、並設方向Ｘに一定である。
【００２３】
したがって、収容部材３１は、その内側に第１支持面４２ａと、第１ガイド面４４ａと、第２支持面４５ａと、第２ガイド面４６ａとを備える。収容部材３１は、第１の二次電池１０Ａを下方から支持する第１支持面４２ａと、第２の二次電池１０Ｂを下方から支持する第２支持面４５ａとを備え、高さＨの異なる第１の二次電池１０Ａ及び第２の二次電池１０Ｂに応じて２つの支持面を備える。
【００２４】
また、収容部材３１は、第１の二次電池１０Ａの幅Ｗに応じて設定された第１ガイド面４４ａと、第２の二次電池１０Ｂの幅Ｗに応じて設定された第２ガイド面４６ａとを備え、第１の二次電池１０Ａと第２の二次電池１０Ｂの幅Ｗに応じて２つのガイド面を備える。
【００２５】
収容部材３１は、周壁３３のうち、底板３２の長手方向一端に位置する第１側壁３３ａに円形の雌ねじ孔３３ｂを備える。雌ねじ孔３３ｂは、第１側壁３３ａを板厚方向に貫通している。雌ねじ孔３３ｂは、周壁３３に囲まれた領域Ｓの内部と、領域Ｓの外部とを連通している。なお、底板３２の長手方向他端に位置し、第１側壁３３ａと長手方向に対向する第２側壁３３ｃは、雌ねじ孔３３ｂを備えない。
【００２６】
拘束治具３０は、与荷重部材３６を備える。与荷重部材３６は、ロッド３７と、押圧板３８とを備える。ロッド３７は、円柱状である。ロッド３７は、外周面に図示しない雄ねじを備える。ロッド３７の雄ねじは、第１側壁３３ａの雌ねじ孔３３ｂに螺合されている。ロッド３７は、領域Ｓ内と領域Ｓ外に跨っている。ロッド３７の両端部のうち、領域Ｓ内の端部を先端、領域Ｓ外の端部を基端とする。ロッド３７の先端には、ロッド３７の軸方向から見た正面視でＴ字状の押圧板３８が取り付けられている。
【００２７】
押圧板３８は、収容部材３１に並設された二次電池１０に対し、厚み方向への荷重を付与する。押圧板３８は、位置決め部材４１における第１支持面４２ａと第１ガイド面４４ａとで挟まれた空間に配設される第１押圧部３９と、第１押圧部３９の上部に一体で、第２支持面４５ａと一対の第２ガイド面４６ａとで挟まれた空間に配設される第２押圧部４０とを有する。したがって、押圧板３８は、第１支持面４２ａと第２支持面４５ａに応じて２つの押圧部３９，４０を備えることとなる。
【００２８】
正面視において、第１押圧部３９の長手方向への寸法Ｍ１は、第１支持面４２ａの寸法Ｎ１より僅かに短く、第２押圧部４０の長手方向への寸法Ｍ２は、第２支持面４５ａの寸法Ｎ２より僅かに短い。押圧板３８は、図示しない回り止め機構によりロッド３７の回転に伴う回転が規制されている。押圧板３８は、ロッド３７の回転に伴う直線移動により、領域Ｓ内を長手方向に移動可能である。なお、図示は省略するが、ロッド３７の基端には、ロッド３７の回転を補助するためのハンドルが取り付けられている。
【００２９】
拘束治具３０は、並設された二次電池１０の間に配置されるスペーサ５０を備える。スペーサ５０は、収容部材３１の長手方向に見た正面視がＴ字状である。スペーサ５０は、押圧板３８と同形状である。スペーサ５０は、位置決め部材４１の第１支持面４２ａと一対の第１ガイド面４４ａとで挟まれた空間に配設される第１押圧部５１と、第１押圧部５１の上部に一体で、第２支持面４５ａと一対の第２ガイド面４６ａとで囲まれた空間に配設される第２押圧部５２とを有する。したがって、スペーサ５０は、第１支持面４２ａと第２支持面４５ａに応じて２つの押圧部５１，５２を備えることとなる。
【００３０】
正面視において、第１押圧部５１の長手方向への寸法Ｔ１は、第１支持面４２ａの寸法Ｎ１より僅かに短く、第２押圧部５２の長手方向への寸法Ｔ２は、第２支持面４５ａの寸法Ｎ２より僅かに短い。
【００３１】
次に、二次電池１０の製造工程について、拘束治具３０の作用とともに説明する。
さて、第１の二次電池１０Ａと第２の二次電池１０Ｂが別々の製造ラインで製造される。その後、初期充放電を行うため、第１の二次電池１０Ａ及び第２の二次電池１０Ｂが一つのラインに搬送される。
【００３２】
まず、第１の二次電池１０Ａにおいて、注液口１４ａからケース１１内へ電解液を注入する（注液工程）。注液工程後、注液口１４ａを封止部材１５で仮封止する（仮封止工程）。電解液を正極電極の正極活物質層及び負極電極の負極活物質層に浸透させる。
【００３３】
次に、図２又は図３に示すように、拘束治具３０によって、上記工程を終えた複数（本実施形態では７つ）の第１の二次電池１０Ａをまとめて拘束する。まず、領域Ｓ内のうち押圧板３８と第２側壁３３ｃとの間で、スペーサ５０と第１の二次電池１０Ａとを並設方向Ｘに交互に並べる。
【００３４】
このとき、第１の二次電池１０Ａのケース１１は、第１支持面４２ａにより下方から支持されるとともに、一対の第１ガイド面４４ａには第１の二次電池１０Ａの各短側壁１３ｃが対向し、第１の二次電池１０Ａの幅方向Ｙへの移動が規制される。また、スペーサ５０の第１押圧部５１は、一対の第１ガイド面４４ａとの間に配設され、第２押圧部５２は、第２支持面４５ａに下方から支持されるとともに一対の第２ガイド面４６ａとの間に配設される。スペーサ５０は、一対の第１ガイド面４４ａ及び第２ガイド面４６ａによって幅方向Ｙへの移動が規制される。各第１の二次電池１０Ａは、スペーサ５０によって厚み方向に挟まれる。
【００３５】
また、押圧板３８の第１押圧部３９は、一対の第１ガイド面４４ａとの間に配設され、第２押圧部４０は、第２支持面４５ａに支持されるとともに一対の第２ガイド面４６ａとの間に配設される。押圧板３８及びスペーサ５０が第２支持面４５ａに支持された状態では、押圧板３８及びスペーサ５０の上端面３８ａ，５０ａは、第１の二次電池１０Ａ内の電極組立体１２の上端面１２ａより上に位置するとともに、ケース１１におけるケース本体１３と蓋体１４の接合部１８より下に位置する。
【００３６】
この状態で、ロッド３７を回転させ、押圧板３８をスペーサ５０に近付けるように並設方向Ｘに直線移動させることで、押圧板３８と他方の第２側壁３３ｃとで、交互に並べられたスペーサ５０及び第１の二次電池１０Ａを挟み込む。このとき、押圧板３８及びスペーサ５０は、第１ガイド面４４ａ及び第２ガイド面４６ａにより、並設方向Ｘへ真っ直ぐに移動するようにガイドされる。
【００３７】
各第１の二次電池１０Ａのケース１１の各長側壁１３ｂ（図３では図示せず）の大半には、スペーサ５０の第１押圧部５１と第２押圧部５２が当接し、各第１の二次電池１０Ａは厚み方向に拘束される。また、押圧板３８の移動量を変化させることによって、各第１の二次電池１０Ａに対し、ほとんど拘束荷重が作用しない当接状態より、所定の拘束荷重が付与される状態までを調整することができる。
【００３８】
初期充放電を行うラインに第２の二次電池１０Ｂが搬送されてきた場合、第２の二次電池１０Ｂの初期充放電が行われる。上述のように注液工程及び仮封止工程が行われた後、複数（本実施形態では７つ）の第２の二次電池１０Ｂをまとめて拘束治具３０によって拘束する。
【００３９】
図４又は図５に示すように、領域Ｓ内のうち押圧板３８と第２側壁３３ｃとの間で、スペーサ５０と第２の二次電池１０Ｂとを並設方向Ｘに交互に並べる。
このとき、第２の二次電池１０Ｂは、第２支持面４５ａに下方から支持されるとともに、一対の第２ガイド面４６ａによって幅方向Ｙへの移動が規制される。また、スペーサ５０の第１押圧部５１は、一対の第１ガイド面４４ａとの間に配設され、第２押圧部５２は、第２支持面４５ａに支持されるとともに一対の第２ガイド面４６ａとの間に配設される。
【００４０】
また、押圧板３８の第１押圧部３９は、一対の第１ガイド面４４ａとの間に配設され、第２押圧部４０は、第２支持面４５ａに下方から支持されるとともに一対の第２ガイド面４６ａとの間に配設される。
【００４１】
押圧板３８及びスペーサ５０が第２支持面４５ａに支持された状態では、押圧板３８及びスペーサ５０の上端面３８ａ，５０ａは、第２の二次電池１０Ｂ内の電極組立体１２の上端面１２ａより上に位置するとともに、ケース１１におけるケース本体１３と蓋体１４の接合部１８より下に位置する。
【００４２】
この状態で、ロッド３７を回転させ、押圧板３８をスペーサ５０に近付けるように長手方向に直線移動させることで、押圧板３８と他方の第２側壁３３ｃとで、交互に並べられたスペーサ５０及び第２の二次電池１０Ｂを挟み込む。
【００４３】
各第２の二次電池１０Ｂのケース１１の各長側壁１３ｂ（図３では図示せず）の大半には、第２押圧部５２が当接し、各第２の二次電池１０Ｂは厚み方向に拘束される。また、押圧板３８の移動量を変化させることによって、各第２の二次電池１０Ｂに対し、ほとんど拘束荷重が作用しない当接状態より、所定の拘束荷重が付与される状態までを調整することができる。
【００４４】
拘束治具３０によって拘束された状態の複数の二次電池１０を図示しない設備内に収容し、各二次電池１０に対して初期充放電とエージングを行う。初期充放電工程にて、まずは初充電を行う。
【００４５】
図６に示すように、初充電は、一対のプローブ６０を端子台６１に備えた充電機６２を用いて行われる。一対のプローブ６０及び端子台６１は、二次電池１０同様、複数並設される。一対のプローブ６０間の間隔は調節可能である。また、端子台６１は昇降可能である。
【００４６】
さて、拘束治具３０により第１の二次電池１０Ａを拘束した場合と、拘束治具３０により第２の二次電池１０Ｂを拘束した場合とで、第１の二次電池１０Ａと第２の二次電池１０Ｂの上端面１４ｂが揃う状態となる。このため、第１の二次電池１０Ａの正極端子１６と負極端子１７にプローブ６０を接続する場合と、第２の二次電池１０Ｂの正極端子１６と負極端子１７にプローブ６０を接続する場合とで、正極端子１６及び負極端子１７に向けた端子台６１の移動量は同じとなる。そして、正極端子１６及び負極端子１７にプローブ６０を接続して初充電が行われる。なお、二次電池１０の仕様によっては、複数回の充放電を繰り返す場合もある。
【００４７】
初期充放電工程後、拘束治具３０によって拘束された状態にて、充電済の複数の二次電池１０を設備から取り出し、続けて図示しない恒温槽に収容し、二次電池１０を所定のエージング温度にまで昇温させた状態で所定時間放置する（エージング工程）。
【００４８】
この初期充放電工程やエージング工程では、ケース１１内で発生したガスによりケース１１の内圧が上昇したり、正極電極及び負極電極が膨張したりする。このため、ケース１１は二次電池１０の厚み方向外側に向かって変形しようとするが、拘束治具３０によって拘束されているため、変形が抑制される。
【００４９】
エージング工程後、二次電池１０を拘束治具３０によって拘束した状態のまま、恒温槽から取り出し、各二次電池１０の封止部材１５を注液口１４ａから除去することで注液口１４ａを開口させ、各ケース１１内で発生したガスを注液口１４ａからケース１１外へ放出する（ガス抜き工程）。ガス抜き後、拘束治具３０による複数の二次電池１０の拘束を解除する（拘束解除工程）。そして、個別に蓋体１４の注液口１４ａを封止部材１５で本封止する（本封止工程）。
【００５０】
本実施形態では、蓋体１４と封止部材１５とをレーザ溶接することで、注液口１４ａを本封止する。レーザ溶接は、単体の二次電池１０に対して行われる。本封止工程後、各二次電池１０のリーク検査を行う（リーク検査工程）。リーク検査は、単体の二次電池１０を図示しない真空チャンバに収容して、注液口１４ａからのガス漏れの有無を検査する。その後、複数の二次電池１０をそれぞれ自己放電させる。自己放電工程後、検査工程などの所定の工程を経て、二次電池１０の製造工程は終了する。
【００５１】
上記実施形態によれば、以下のような効果を得ることができる。
（１）高さＨ及び幅Ｗの異なる第１の二次電池１０Ａと第２の二次電池１０Ｂが初期充放電を行うラインに混流しても、１種類の拘束治具３０を用いて第１の二次電池１０Ａと第２の二次電池１０Ｂの上端面１４ｂの高さを揃えることができる。このため、初充電を行うプローブ６０の高さを第１の二次電池１０Ａと第２の二次電池１０Ｂに合わせて調節したり、高さを揃えるために第１の二次電池１０Ａと第２の二次電池１０Ｂに合わせて拘束治具３０を取り換える必要もなく、初期充放電時に行う拘束作業を容易とすることができる。また、第１の二次電池１０Ａと第２の二次電池１０Ｂに合わせた拘束治具３０を別々に必要とせず、使用する拘束治具３０が減る分、拘束治具３０の設置スペースを減らすことができる。
【００５２】
（２）押圧板３８及びスペーサ５０の上端面３８ａ，５０ａは、電極組立体１２の上端面１２ａより上に位置するとともに、ケース本体１３と蓋体１４の接合部１８より下に位置する。このため、二次電池１０を拘束した際に、電極組立体１２の上端面１２ａより下に拘束荷重が付与されることがなく、電極組立体１２の厚み方向の端面に局所的に荷重が加わることを抑制できる。また、ケース１１においては、接合部１８に荷重が付与されることを防止でき、拘束治具３０による拘束によって接合部１８が損傷することを防止できる。
【００５３】
（３）拘束治具３０を用いることで、複数の二次電池１０を１つずつ拘束治具で拘束する手間を省くことができ、また、複数の二次電池１０をまとめて運搬することで、収容部や恒温槽への出し入れを効率よく行うことができるため、初期充放電の際の作業性を向上させ、二次電池１０の生産性を向上させることができる。
【００５４】
（４）拘束治具３０の位置決め部材４１は、第１ガイド面４４ａと第２ガイド面４６ａとを備える。よって、拘束時に、第１の二次電池１０Ａ又は第２の二次電池１０Ｂが幅方向Ｙに移動することを規制できる。
【００５５】
（５）押圧板３８の幅方向Ｙ両端面は、第１ガイド面４４ａ及び第２ガイド面４６ａによって並設方向Ｘへの移動がガイドされる。よって、押圧板３８をスペーサ５０及び二次電池１０側に真っ直ぐに移動させやすく、押圧板３８がスペーサ５０に方当たりすることを抑制できる。
【００５６】
なお、上記実施形態は以下のように変更してもよい。
○  収容部材３１は、第２支持面４５ａより上側に別の支持面を備えるとともに、別の支持面の幅方向Ｙ両端にガイド面を備えていてもよい。この場合、押圧板３８及びスペーサ５０は、第２押圧部４０，５２より上側に別の押圧部を備えることとなる。このようにして、拘束治具３０で拘束できる二次電池１０を３種類以上としてもよい。
【００５７】
○  収容部材３１が備える位置決め部材４１により、第１支持面４２ａ、第１ガイド面４４ａ、第２支持面４５ａ及び第２ガイド面４６ａを備える構造としたが、位置決め部材４１を用いず、収容部材３１の底板３２及び周壁３３に第１支持面４２ａ、第１ガイド面４４ａ、第２支持面４５ａ及び第２ガイド面４６ａを設けてもよい。
【００５８】
○  実施形態では、複数の第１の二次電池１０Ａ又は複数の第２の二次電池１０Ｂを拘束治具３０で拘束したが、拘束治具３０内に第１の二次電池１０Ａと第２の二次電池１０Ｂを混在させた状態で拘束してもよい。
【００５９】
この場合、図７に示すように、第１の二次電池１０Ａの幅方向Ｙ両側にはスペーサブロック６５が配設されるのが好ましい。スペーサブロック６５の厚みはスペーサ５０と同じ厚みである。スペーサブロック６５と第１の二次電池１０Ａの正面視は、スペーサ５０及び押圧板３８に似た正面視形状になる。このため、第１の二次電池１０Ａに荷重が付与されたとき、第１の二次電池１０Ａとスペーサブロック６５で荷重を受承し、第１の二次電池１０Ａに荷重が集中することを抑制できる。
【００６０】
○  拘束治具３０による二次電池１０の拘束はエージング工程までとし、その後工程のガス抜き工程以降は拘束治具３０による二次電池１０は行わなかったが、エージング工程以降、ガス抜き工程、本封止工程、リーク検査工程まで拘束治具３０によって拘束していてもよいし、いずれかの工程で拘束解除を行ってもよい。
【００６１】
○  二次電池１０は、リチウムイオン二次電池であったが、これに限らず、他の二次電池であってもよい。要するに、正極活物質と負極活物質との間をイオンが移動するとともに電荷の授受を行うものであればよい。
【００６２】
○  電気二重層キャパシタ等の蓄電装置に具体化してもよい。
次に、上記実施形態及び別例から把握できる技術的思想について以下に追記する。
（１）前記蓄電装置は二次電池である拘束治具。
【００６３】
（２）前記スペーサと前記押圧板は同形状である拘束治具。
（３）前記スペーサと前記押圧板はＴ字状である拘束治具。
【符号の説明】
【００６４】
１０…蓄電装置としての二次電池、１１…ケース、１２…電極組立体、１２ａ…上端面、１３…ケース本体、１４…蓋体、１４ｂ…上端面、１６…電極端子としての正極端子、１７…電極端子としての負極端子、１８…接合部、３０…拘束治具、３１…収容部材、３８…押圧板、３８ａ…上端面、３９…第１押圧部、４０…第２押圧部、４２ａ…第１支持面、４４ａ…第１ガイド面、４５ａ…第２支持面、４６ａ…第２ガイド面、５０…スペーサ、５０ａ…上端面、５１…第１押圧部、５２…第２押圧部。
【図１】
2018185949.tif 000003
【図２】
2018185949.tif 000004
【図３】
2018185949.tif 000005
【図４】
2018185949.tif 000006
【図５】
2018185949.tif 000007
【図６】
2018185949.tif 000008
【図７】
2018185949.tif 000009